(57)【特許請求の範囲】
【請求項１】
ガイドレールに沿って昇降路を上下動する昇降体に設けられ、前記ガイドレールに潤滑油を塗布する給油器を備えたエレベータにおいて、
前記給油器の上部を覆うように配置された固定具の上に設置された清掃器具本体と、
前記清掃器具本体の前記ガイドレールに面する側において、前記ガイドレールの長さ方向に形成された水平断面がコ字状の凹部と、
前記凹部に前記ガイドレールを挟み込んで設置され、エレベータの走行に連動して前記ガイドレールを摺動する清掃体と、
前記清掃器具本体の前記ガイドレールに面する側と対向する反対面に設置された取っ手と、
前記清掃器具本体の底面に設置され、前記固定具に対して引き出し可能にするスライドレールと、
を備えるガイドレール清掃装置。
【請求項２】
前記清掃体は多孔質で弾力性を有する樹脂材料で形成されている、
請求項１に記載のエレベータのガイドレール清掃装置。
【請求項３】
前記清掃器具本体の上面における前記清掃体が配置されている部分には、網が設置されている、
請求項１又は２に記載のエレベータのガイドレール清掃装置。
【発明の詳細な説明】
【技術分野】
【０００１】
本発明の実施形態は、エレベータのガイドレール清掃装置に関する。
【背景技術】
【０００２】
エレベータのガイドレールは、かごの走行中において、かごに設置された給油器の潤滑油を毛糸等の塗布部材によって吸い上げて塗布することで走行時の潤滑性が保持されている。
【０００３】
エレベータの経年使用により、ガイドレールに塵埃等が付着して汚れると、走行時の潤滑性が損なわれ、付着した塵埃等によって走行中の異音発生の原因となったり、かごの振動発生の要因となったりする。特に、冬場の昇降路では、ガイドレールに付着した塵埃が固化してしまい、異音の発生につながり、また、給油が不能になることがある。
【０００４】
このため、定期的にガイドレールに付着した塵埃等を取り除く作業が必要となる。そこで、例えば、定期点検時等において、作業員が清掃ブラシやスクレーパー等を使用してガイドレールから塵埃を取り除く作業を行っている。また、ガイドレールから塵埃を取り除く処理を自動で行う清掃装置も提案されている。
【先行技術文献】
【特許文献】
【０００５】
【特許文献１】特開平９−３０１６５３号公報
【特許文献２】特開平１０−２０３７５２号公報
【発明の概要】
【発明が解決しようとする課題】
【０００６】
しかし、従来におけるエレベータの清掃装置は、複雑な構造を有しており、また、メンテナンス作業が面倒であるという課題を有している。このため、簡単な構成で効果的にガイドレールに付着した塵埃を取り除くことができる装置の開発が望まれている。
【０００７】
本発明の実施形態は、簡単な構成であってもガイドレールに付着した塵埃を効果的に取り除くことができ、給油器への異物混入を防止できるエレベータのガイドレール清掃装置を提供することを目的とする。
【課題を解決するための手段】
【０００８】
本発明の実施形態は、ガイドレールに沿って昇降路を上下動する昇降体に設けられ、前記ガイドレールに潤滑油を塗布する給油器を備えたエレベータにおいて、前記給油器の上部を覆うように配置された固定具の上に設置された清掃器具本体と、前記清掃器具本体の前記ガイドレールに面する側において、前記ガイドレールの長さ方向に形成された水平断面がコ字状の凹部と、前記凹部に前記ガイドレールを挟み込んで設置され、エレベータの走行に連動して前記ガイドレールを摺動する清掃体と、を備える。
【図面の簡単な説明】
【０００９】
【図１】実施形態に係るエレベータの清掃装置が適用されたエレベータの構成図。
【図２】実施形態に係るエレベータの清掃装置の構成説明図。
【図３】実施形態に係るエレベータの清掃装置を正面から見た構成説明図。
【図４】実施形態に係るエレベータの清掃装置の変形例を示す構成説明図。
【発明を実施するための形態】
【００１０】
図１に示すように、実施形態のエレベータ１は、昇降路２内をかご用ガイドレール３に案内された乗りかご４がつるべ式に上下動する。
【００１１】
乗りかご上面４ａにはかご枠を構成する上梁５が配置されている。この上梁５には、かご用ガイドレール３を案内するレールガイド６やメインロープ７を取り付けるロープ取付部８、その他の種々の装置、器具が設けられている。
【００１２】
本実施形態では、給油器１０と、清掃装置２０とが設置されている。
【００１３】
給油器１０は、乗りかご４の走行中に、内蔵する毛糸等の塗布部材によって潤滑油を吸い上げてガイドレール３に塗布する。
【００１４】
清掃装置２０は、清掃器具本体１１と、固定具１２と、清掃器具本体１１内に配置されたスポンジ１３とを備えている。
【００１５】
清掃器具本体１１は、固定具１２を介して給油器１０の直上に配置されている。ガイドレール３に対面する側の中央部には、水平断面がコ字状の凹部１１ａが形成されており、その凹部１１ａには、スポンジ１３が内蔵されている。スポンジ１３は、ガイドレール３を挟み込み、乗りかご４の走行中にガイドレール３の表面に付着した塵や埃等の汚れを拭き取る機能を有する。また、このスポンジ１３は、多孔質で弾力性を有する樹脂材料で構成され、かつ、凍結防止用のワックス成分を含んでいる。
【００１６】
固定具１２は、給油器１０の上方において給油器１０を覆うようにして設置され、図３に示すように、上梁５に対して固定ボルト１６によって固定されている。給油器１０の上面と固定具１２の天井面との間には空間が確保されている。この空間が形成されていることによって給油器１０への潤滑油の補給作業が容易になる。
【００１７】
また、この清掃器具本体１１のメインロープ７側の面には取っ手１４が設置されている。さらに、清掃器具本体１１の底面側にはスライドレール１５が配置されている。これによって、メンテナンス作業時において、作業員が取っ手１４を持って清掃器具本体１１を手前側に引き出すことができ、スポンジ１３の交換作業を容易に行うことができる。
【００１８】
このように、本実施形態における清掃装置２０によれば、簡単な構成であってもガイドレール３に付着した塵埃を効果的に取り除くことができる。また、給油器１０への異物混入を防止でき、給油器１０への異物混入により給油が不能となることを防止できる。また、塵埃がガイドレール３に固着するのを防止できるので、エレベータ走行時における異音発生を抑制できる。
【００１９】
また、清掃装置２０には、取っ手１４とスライドレール１５とが設けられているので、作業員が取っ手１４を持って手前側に引くことによって、容易に清掃装置２０を取り外すことができ、スポンジ１３の交換作業が容易になるという効果を奏する。
【００２０】
さらに、スポンジ１３は、多孔質で弾力性を有する樹脂材料で構成され、かつ、凍結防止用のワックス成分を含んでいるので、ガイドレールに付着した塵埃を確実に取り除くことができる。また、スポンジ１３の凍結を防止できるので、スポンジ１３の長寿命化が達成できる。
【００２１】
＜変形例＞
図４は実施形態に係るエレベータの清掃装置の変形例を示している。
【００２２】
この変形例では、清掃装置３０を構成する清掃器具本体１１の上面において、スポンジ１３が配置されている部分（スポンジ１３の上面部分）に網１７を設置したものである。
【００２３】
このように、スポンジ１３の上面部分に網１３を配置することによって、ガイドレール３の清掃中にガイドレール面に付着した塵の塊などが外部に飛散するのを防止することができる。逆に、スポンジ１３の上面部分に外部から破片等が衝突した場合にあっても、スポンジ１３を保護することができる。これにより、スポンジ１３の長寿命化が期待できる。
【００２４】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
１…エレベータ、２…昇降路、３…かご用ガイドレール、４…乗りかご、４ａ…乗りかご上面、５…上梁、６…レールガイド、７…メインロープ、８…ロープ取付部、１０…給油器、１１…清掃器具本体、１１ａ…凹部、１２…固定具、１３…スポンジ（清掃体）、１４…取っ手、１５…スライドレール、１６…固定ボルト、１７…網、２０，３０…清掃装置（エレベータのガイドレール清掃装置）。
【要約】
【課題】簡単な構成であってもガイドレールに付着した塵埃を効果的に取り除くことができ、給油器への異物混入を防止できるエレベータのガイドレール清掃装置を提供する。
【解決手段】ガイドレールに沿って昇降路を上下動する昇降体に設けられ、ガイドレールに潤滑油を塗布する給油器を備えたエレベータにおいて、給油器１０の上部を覆うように配置された固定具１２の上に設置された清掃器具本体１１と、清掃器具本体のガイドレールに面する側において、ガイドレールの長さ方向に形成された水平断面がコ字状の凹部１１ａと、凹部に前記ガイドレールを挟み込んで設置され、エレベータの走行に連動してガイドレールを摺動する清掃体（スポンジ１３）と、を備える。
【選択図】図１【図１】
0006795262.tif 000002
【図２】
0006795262.tif 000003
【図３】
0006795262.tif 000004
【図４】
0006795262.tif 000005